(57)【要約】【課題】水によって孔壁保護がされる場合でも、孔壁の崩壊を防ぐことができるうえに直進性能に優れた掘削バケットを提供する。【解決手段】地盤Ｇを掘削するために回転させる円筒状の掘削バケット１である。  そして、円筒状のバケット本体２と、バケット本体の下部の側面２１に周方向に間隔を置いて取り付けられた制御カッタ５，５と、バケット本体の下面を塞ぐ掘削刃及び土砂取込口が設けられた底蓋３と、底蓋の中央部に取り付けられて下方に向けて突出された複数の先導爪部４，・・・とを備えている。  ここで、制御カッタは、バケット本体を引き上げる際に掘削孔Ｇ１内に発生する流体の速度を低減させることが可能となるように、バケット本体の側面からの径方向の突出量ｄが調整されている。【選択図】図１
2017106203.tif 000002
【特許請求の範囲】
【請求項１】
地盤を掘削するために回転させる円筒状の掘削バケットであって、
円筒状のバケット本体と、
前記バケット本体の下部の側面に周方向に間隔を置いて取り付けられた制御カッタと、
前記バケット本体の下面を塞ぐ掘削刃及び土砂取込口が設けられた底蓋と、
前記底蓋の中央部に取り付けられて下方に向けて突出された複数の先導爪部とを備え、
前記制御カッタは、前記バケット本体を引き上げる際に掘削孔内に発生する流体の速度を低減させることが可能となるように、前記バケット本体の側面からの径方向の突出量が調整されていることを特徴とする掘削バケット。
【請求項２】
前記複数の先導爪部は、前記底蓋の周方向に等間隔で取り付けられていることを特徴とする請求項１に記載の掘削バケット。
【請求項３】
前記先導爪部は、斜め下方に向けて突出されていることを特徴とする請求項１又は２に記載の掘削バケット。
【請求項４】
前記先導爪部は、平面視略円弧状に形成されていることを特徴とする請求項１乃至３のいずれか一項に記載の掘削バケット。
【請求項５】
請求項１乃至４のいずれか一項に記載の掘削バケットを使用した掘削方法であって、
前記掘削バケットを回転させながら下方に向けて地盤を掘削する工程と、
掘削孔に水を注入することで、孔内の水位を地盤の地下水位よりも高くする工程と、
掘削された土砂を排土するために前記掘削バケットを引き上げる工程と、
前記掘削孔の孔底に沈降した堆積物を除去する工程とを備えたことを特徴とする掘削方法。
【発明の詳細な説明】
【技術分野】
【０００１】
本発明は、杭などを構築するために地盤を掘削するための掘削バケット、及びそれを使用した掘削方法に関するものである。
【背景技術】
【０００２】
場所打ちコンクリート杭を構築するために地盤を掘削する際に、アースドリルのケリーバの下端に円筒状の掘削バケットを取り付け、その掘削バケットを回転させることによって掘削を行う方法が知られている（特許文献１−３など参照）。
【０００３】
また、特許文献１には、掘削孔の孔壁の崩壊を防ぐために、掘削孔内に水よりも比重の大きいベントナイト泥水などの安定液を注入することが記載されている。安定液中に浮遊する土砂やスライムは、掘削孔の底面に沈降させて、その堆積物を除去した後にコンクリートを掘削孔に充填することになる。
【０００４】
一方、特許文献２には、掘削バケットの開閉扉の中心から１本の先行突状体を下方に向けて突出させるとともに、円筒状の函体の側面からはサイドカッタを突出させることが記載されている。このサイドカッタは、函体の外周径よりも少し大きな孔を掘るためのカッタで、これによって孔壁と函体との間の摩擦が低減されて掘削抵抗を減らすことができる。
【０００５】
さらに、特許文献３には、掘削バケットの底板の中央の通孔からオーガ駆動装置のスクリューの下端を突出させることが可能な縦穴掘削装置が開示されている。この文献に記載された縦穴掘削方法では、孔壁の保護はライナープレートによって行われ、安定液は使用されない。
【先行技術文献】
【特許文献】
【０００６】
【特許文献１】特開２００６−２４９７９１号公報
【特許文献２】特開平０９−４１８６０号公報
【特許文献３】特開２０１０−１９０４６号公報
【発明の概要】
【発明が解決しようとする課題】
【０００７】
ここで、上述したように特許文献２に開示されたサイドカッタは、摩擦抵抗を低減させるためのものであり、突出量はわずかである。特許文献２の構成でサイドカッタの突出量を増やすと、先行突状体が１本であることから掘削バケットの傾きを抑えることができなくなる。
【０００８】
一方、円筒状の函体の側面と孔壁との隙間が狭いと、掘削バケットを上方に引き上げる際に、安定液も一緒に引き上げられて孔壁が崩壊するおそれがあるため、掘削には水（清水）よりも比重の大きいベントナイト泥水が通常、使用される。
【０００９】
しかしながら比重の大きなベントナイト泥水を使用すると、掘削された土砂やスライムが浮遊する時間が長くなり、時間をかけて沈降させなければコンクリートに混ざって品質を低下させるおそれがある。
【００１０】
そこで、本発明は、水によって孔壁保護がされる場合でも、孔壁の崩壊を防ぐことができるうえに直進性能に優れた掘削バケット、及びそれを使用した掘削方法を提供することを目的としている。
【課題を解決するための手段】
【００１１】
前記目的を達成するために、本発明の掘削バケットは、地盤を掘削するために回転させる円筒状の掘削バケットであって、円筒状のバケット本体と、前記バケット本体の下部の側面に周方向に間隔を置いて取り付けられた制御カッタと、前記バケット本体の下面を塞ぐ掘削刃及び土砂取込口が設けられた底蓋と、前記底蓋の中央部に取り付けられて下方に向けて突出された複数の先導爪部とを備え、前記制御カッタは、前記バケット本体を引き上げる際に掘削孔内に発生する流体の速度を低減させることが可能となるように、前記バケット本体の側面からの径方向の突出量が調整されていることを特徴とする。
【００１２】
ここで、前記複数の先導爪部は、前記底蓋の周方向に等間隔で取り付けられている構成とすることができる。また、前記先導爪部は、斜め下方に向けて突出されている構成とすることができる。さらに、前記先導爪部は、平面視略円弧状に形成されている構成とすることができる。
【００１３】
また、掘削方法の発明は、上記いずれかの掘削バケットを使用した掘削方法であって、前記掘削バケットを回転させながら下方に向けて地盤を掘削する工程と、掘削孔に水を注入することで、孔内の水位を地盤の地下水位よりも高くする工程と、掘削された土砂を排土するために前記掘削バケットを引き上げる工程と、前記掘削孔の孔底に沈降した堆積物を除去する工程とを備えたことを特徴とする。
【発明の効果】
【００１４】
このように構成された本発明の掘削バケットは、バケット本体の下部の側面に周方向に間隔を置いて制御カッタが取り付けられるとともに、底蓋の中央部からは複数の先導爪部が下方に向けて突出されている。
【００１５】
そして、制御カッタは、バケット本体を引き上げる際に掘削孔内に発生する流体の速度を低減させることが可能となるように、バケット本体の側面からの径方向の突出量が調整されている。
【００１６】
このため、掘削孔の孔壁が水（又は掘削土砂のみが混入した泥水（添加剤なし））の圧力によって保護がされている場合でも、掘削バケットを引き上げる際の流速が大きくなり過ぎないため、孔壁の崩壊を防ぐことができる。
【００１７】
また、複数の先導爪部を底蓋の中央部に取り付けることによって、先導爪部が先行して地盤に押し込まれてバケット本体の傾きや揺れなどのぶれが抑えられるので、優れた直進性能を発揮させることができる。この複数の先導爪部が、底蓋の周方向に等間隔に取り付けられることによって、対称性が確保されて直進性能をさらに向上させることができる。
【００１８】
さらに、先導爪部が斜め下方に向けて突出されていれば、地盤に押し込まれる際の抵抗を低減させることができる。また、先導爪部が平面視略円弧状に形成されていれば、掘削バケットを回転させる際の抵抗も低減させることができる。
【００１９】
そして、掘削方法の発明では、掘削孔に水を注入することで孔内の水位を地盤の地下水位よりも高くして、地盤の掘削を行う。掘削孔に注入されるのが水であれば、掘削された土砂やスライムの沈降が早くなり、短期間で品質の高いコンクリート構造物を地中に構築することが可能になる。さらに、水であれば孔壁にマッドケーキが付着しないので、コンクリートと地盤との付着による摩擦抵抗を確保することができる。
【図面の簡単な説明】
【００２０】
【図１】本発明の実施の形態の掘削バケットを使用した掘削方法を説明する説明図である。
【図２】掘削バケットの構成を説明する斜視図である。
【図３】掘削バケットを下から見た底面図である。
【図４】掘削バケットの下部を側方から見た拡大側面図である。
【発明を実施するための形態】
【００２１】
以下、本発明の実施の形態について図面を参照して説明する。図１は、本実施の形態の掘削バケット１を使用した掘削方法を説明する図であり、図２，３は、掘削バケット１の構成を示した斜視図及び底面図である。
【００２２】
まず、構成から説明すると、本実施の形態の掘削バケット１は、円筒状のバケット本体２と、バケット本体２の側面２１に周方向に間隔を置いて取り付けられた制御カッタ５，５と、バケット本体２の下面を塞ぐ円板状又は円錐状の底蓋３と、底蓋３の中央部に取り付けられて下方に向けて突出させる複数の先導爪部４，・・・とによって主に構成される。
【００２３】
この掘削バケット１は、アースドリルに取り付けられる装置であって、詳細には旋回体、ブーム、ケリーロープ、ケリーバなどを備えたアースドリルのケリーバ１１の下端に、ジョイント部１２にピンを挿し込むなどして着脱自在に取り付けられる（図１，２参照）。
【００２４】
バケット本体２は、図１に示すように、掘削孔Ｇ１の直径よりも小さい直径の円筒状の鋼管などによって形成される。このバケット本体２の下部の側面２１には、図３に示すように一対の制御カッタ５，５が点対称となるように、周方向に１８０度の間隔を置いて取り付けられる。
【００２５】
要するに一対の制御カッタ５，５は、バケット本体２の側面２１の対峙する位置に反対向き（回転方向Ｒ（図３の矢印方向）に対しては同一向き）に取り付けられる。
【００２６】
この制御カッタ５は、通常のサイドカッタよりもバケット本体２の側面２１からの径方向の突出量ｄが大きくなるように調整されている。例えば、掘削孔Ｇ１の直径（杭径Ｄ）を0.8m−3.0mとした場合に、突出量ｄが7.0cm−10.0cmとなる制御カッタ５を取り付ける。
【００２７】
図２，４に示すようにヘラ状の制御カッタ５は、ボルト５１，５１や溶接などによって側面２１に固着される。また、制御カッタ５の刃先側には、側面開口５２が設けられる。
【００２８】
さらに、制御カッタ５は、図３に示すように平面視略直線となる傾斜面が形成されるように側面２１から反り上がり、先端（刃先）と側面２１との離隔が突出量ｄとなる。
【００２９】
この制御カッタ５の突出量ｄの調整は、以下のようにして行われる。まず、バケット本体２の流量（ＱＢ）とそれを引き上げる速度（ｖＢ）の積が、バケット本体２の側面２１と孔壁Ｇ５との隙間の流量（Ｑｄ）とバケット本体２の引き上げ時に起きる流体の速度（ｖｄ）の積と等しくなる点に着目する。
【００３０】
ここで、杭径をＤ、バケット本体２の側面２１と孔壁Ｇ５との隙間を突出量ｄと同じとすると、バケット本体２の流量（ＱＢ）及び隙間の流量（Ｑｄ）は、（式１）及び（式２）で表わせる。
【００３１】
ＱＢ＝（Ｄ−2ｄ)２・π/4            （式１）
Ｑｄ＝（Ｄ２−（Ｄ−2ｄ)２）・π/4            （式２）
そして、ＱＢ・ｖＢ＝Ｑｄ・ｖｄとなることから、（式３）が導ける。
【００３２】
ｖｄ＝ｖＢ・（Ｄ−2ｄ)２/（4ｄ（Ｄ−ｄ)）            （式３）
ところで、バケット本体２を引き上げる速度（ｖＢ）は、引き上げに使用するウィンチの速度に置き換えることができる。例えば、エンジン回転が2100回／minのウィンチのギア１速の速度は、26m/minとなり、秒速は0.433m/secとなる。
【００３３】
一方、速度ｖｄの流速が起きたときに孔壁Ｇ５に作用する圧力ｐは、掘削孔Ｇ１に注入される水の密度をρとすると、（式４）で導くことができる。
【００３４】
ｐ＝ρ・ｖｄ２/2            （式４）
そこで、杭径Ｄと突出量ｄとを変化させた場合に、孔壁Ｇ５に作用する圧力ｐを（式４）を使って算出した結果が、表１となる。
【００３５】
【表１】
2017106203.tif 000003
この表１の作用圧ｐを、水位差ｈ（静水圧）に置き換えた結果を表２に示す。
【００３６】
【表２】
2017106203.tif 000004
例えば、通常のサイドカッタの突出量ｄが0.06mであるとすると、3.0mの杭径Ｄであれば、引き上げ時に発生する作用圧ｐを抑えるために1.32mの水位差ｈが必要になる。これに対して、制御カッタ５の突出量ｄを0.10mにすることで、3.0mの杭径Ｄであっても0.44mの水位差ｈで、掘削バケット１の引き上げ時に孔壁Ｇ５にかかる作用圧ｐを抑えることができる。
【００３７】
これを換言すれば、制御カッタ５の突出量ｄを通常のサイドカッタの約1.7倍にするだけで、掘削バケット１の引き上げ時に孔壁Ｇ５に作用する圧力を１／３に低減することができる。
【００３８】
なお、ベントナイトを用いない泥水掘削法（リバース・サーキュレーション工法）において、孔壁Ｇ５の保護をする場合は、通常、地下水位Ｇ４＋2mを孔内水位Ｇ３とすることから、掘削土砂のみが混入した泥水（ベントナイト粉末などの添加剤なし）で掘削する場合の孔内水位Ｇ３は、上述した例であれば2m＋0.44m＝2.44m以上にするのが好ましいといえる。
【００３９】
一方、底蓋３には、制御カッタ５，５間を結ぶ直径上に沿って複数の掘削刃としての掘削ビット３１，・・・が取り付けられる。すなわち掘削ビット３１，・・・は、底蓋３の中心を挟んだ両側に反対向き（回転方向Ｒに対しては同一向き）に取り付けられる。
【００４０】
また、掘削ビット３１，・・・の刃先側には、底蓋３を扇状又はスリット状に切り取った土砂取込口３２，３２が設けられる。土砂取込口３２，３２は、底蓋３の中心を挟んだ両側に反対向き（回転方向Ｒに対しては同一向き）に設けられる。
【００４１】
すなわち、底蓋３の中心を挟んで両側に配置される制御カッタ５，５、掘削ビット３１，・・・及び土砂取込口３２，３２は、それぞれ底蓋３の中心点に対して点対称な形状に成形されている。
【００４２】
また、底蓋３の中央部には、円形の中央開口部３４が形成される。この中央開口部３４の直径は、バケット本体２の直径にもよるが、例えば400mm−600mm程度に形成される。
【００４３】
さらに、底蓋３は、図示していないが蝶番などを介して開閉自在にバケット本体２の下端に取り付けられており、底蓋３を開くことによって土砂取込口３２，３２から取り込まれてバケット本体２の内部に溜まった掘削土砂を排出させることができる。
【００４４】
そして、この底蓋３の中央部となる中央開口部３４の周縁に、複数の先導爪部４，・・・が取り付けられる。下方に向けて突出される先導爪部４は、底蓋３に接合させる根元部４２と、曲線状に形成される棒状部４３と、その下端に設けられる先端ビット部４１とによって主に構成される。
【００４５】
さらに詳細に説明すると、図３に示すように、底蓋３の周方向（回転方向Ｒ）に等間隔（90°間隔で）で４本の先導爪部４，４，４，４が点対称となるように取り付けられる。それぞれの先導爪部４は、平面視略円弧状に形成される。
【００４６】
また、先導爪部４は、側方から見ると図１，２に示すように、斜め下方に向けて突出される。特に図２に示すように、先導爪部４の棒状部４３は、捩じれた形状に形成される。
【００４７】
例えば先導爪部４は、図４に示すように、バケット本体２の底面に対する角度θが45°程度となる下がる向きに、下方への突出長さＬが約200mmとなる長さで突出される。
【００４８】
次に、本実施の形態の掘削バケット１を使った地盤Ｇの掘削方法及び杭の構築方法について説明するとともに、掘削バケット１及び掘削方法の作用について説明する。
【００４９】
まず、図１に示すように、アースドリルのケリーバ１１の下端にジョイント部１２を介して掘削バケット１を取り付ける。そして、４本の先導爪部４，・・・の平面視の中心を杭の中心（軸心）位置に合わせて掘削を開始する。
【００５０】
掘削バケット１は、ケリーバ１１の回転力が伝達されて回転し、この回転によって先導爪部４，・・・が地盤Ｇを切削することになる。ここで、図３の矢印方向が掘削バケット１の回転方向Ｒとなる。
【００５１】
円周をなすように取り付けられる先導爪部４，・・・は、底蓋３よりも直径が小さくなるように取り付けられているので、ケリーバ１１の回転力は大きなトルクとして伝達される。
【００５２】
一方、バケット本体２の側方には、制御カッタ５，５によって切削された孔壁Ｇ５が形成される。この孔壁Ｇ５とバケット本体２の側面２１との間には、制御カッタ５の突出量ｄ以上の離隔が形成される。
【００５３】
この制御カッタ５によって形成される離隔（突出量ｄ）は、上述したように通常のサイドカッタを備えたバケットによって形成される場合と比べて大きくなるため、孔壁Ｇ５の拘束によってバケット本体２の姿勢を保持させることは難しい。
【００５４】
しかしながら本実施の形態の掘削バケット１による掘削であれば、複数の先導爪部４，・・・が孔底Ｇ２に先行して押し込まれているので、バケット本体２の傾きや揺れなどのぶれを抑えることができる。
【００５５】
仮に先導爪部４，・・・が無くて掘削中のバケットにぶれが生じると、接触によって孔壁Ｇ５を崩壊させるおそれがあるが、先導爪部４，・・・によってぶれが抑えられていれば、孔壁Ｇ５の崩壊も防ぐことができる。
【００５６】
また、先導爪部４，・・・はスタビライザーとしての機能も有しているので、掘削バケット１による地盤Ｇの掘削は、高い直進性能で行うことができる。さらに、４本の先導爪部４，・・・は、底蓋３の周方向に90°という等間隔で取り付けられて略円周形状を形成しているので、対称性が確保されていて、高い直進性能で掘削を続けていくことができる。
【００５７】
一方、掘削孔Ｇ１には、孔壁Ｇ５の崩壊を防ぐために水（清水）が注入される。ここでいう「水」は、ベントナイト粉末などの添加物が混入されていない状態の水をいい、当然その比重も、ベントナイト泥水よりも小さく、1又はそれに近い値となる。
【００５８】
この水の注入によって孔内水位Ｇ３を、地盤Ｇの地下水位Ｇ４よりも高くする。例えば、地下水位Ｇ４よりも2m＋ｈ以上、孔内水位Ｇ３を高くする。このｈの値は、杭径Ｄと突出量ｄとの関係から、表２から抽出することができる。
【００５９】
このように孔内水位Ｇ３を高くすることによって、掘削孔Ｇ１の内側から孔壁Ｇ５に向けて2m＋ｈ以上の静水圧が作用することになり、孔壁Ｇ５の剥離や崩壊を防ぐことができる。
【００６０】
掘削が進んで底蓋３の土砂取込口３２，３２からバケット本体２の内部に取り込まれた掘削土砂が増えると、排土のために掘削バケット１を引き上げることになる。
【００６１】
この引き上げの際に、バケット本体２と孔壁Ｇ５との隙間の水も一緒に引き上げられて、孔壁Ｇ５が内側に引き寄せられる流れが発生する。この流速が速くなると、孔壁Ｇ５が剥離したり崩壊したりしやすくなる。
【００６２】
これに対して本実施の形態の掘削バケット１は、制御カッタ５の突出量ｄが大きく設定されているため、引き上げ時の流速が大きくなり過ぎず、水（又は掘削土砂のみが混入した泥水（添加剤なし））による静水圧だけで孔壁Ｇ５の剥離や崩壊を防ぐことができる。
【００６３】
また、掘削孔Ｇ１に注入されている流体が水（又は掘削土砂のみが混入した泥水（添加剤なし））であれば、掘削が進行しても孔壁Ｇ５に沿ってマッドケーキが形成されない。
【００６４】
さらに、掘削孔Ｇ１が真っ直ぐに掘削されていれば、掘削バケット１の上げ下げの際に掘削バケット１が孔壁Ｇ５と接触する機会を低減でき、孔壁Ｇ５の崩壊を抑えることができる。
【００６５】
このようにして掘削バケット１の掘削孔Ｇ１への投入、掘削、引き上げ、排土が繰り返されて、設計された杭の長さを満たす深さに到達するまで、掘削が続けられる。
【００６６】
ここで、逸水が多い地盤Ｇであった場合には、地上に排土された掘削土砂のシルト分や粘土分を、再び掘削孔Ｇ１に戻すこともできる。このようにすることで、孔壁Ｇ５を目詰まりさせて逸水を抑えることができる。また、もともと掘削孔Ｇ１内にあった土砂等を戻すだけなので、他の浮遊している土砂等と変わらず、ベントナイト泥水を注入した場合に起きるようなデメリットは生じない。
【００６７】
以上のようにして掘削された掘削孔Ｇ１の孔底Ｇ２には、掘削後に短時間で土砂やスライムが沈降して堆積物が形成される。すなわち、掘削孔Ｇ１に注入された流体（水）の比重は1又はそれに近い値で小さく、浮遊物の沈降に対する抵抗になりにくいので、土砂等は短い時間で堆積物となる。
【００６８】
この堆積物を底浚いによって除去した後に、掘削孔Ｇ１に鉄筋籠を挿入する。この鉄筋籠を挿入する際も、掘削孔Ｇ１が真っ直ぐに掘削されていれば、降下中の鉄筋籠が孔壁Ｇ５に接触する機会を低減でき、孔壁Ｇ５の崩壊を抑えることができる。
【００６９】
続いて掘削孔Ｇ１にコンクリートを流し込むことになるが、この時点ではほとんど土砂やスライムの浮遊がなく、コンクリートを充填しても土砂やスライムが巻き込まれることがない。
【００７０】
また、孔壁Ｇ５には、ベントナイト泥水を使用した場合に形成されるマッドケーキがなく、充填されたコンクリートが地盤Ｇに密着した状態の場所打ちコンクリート杭が完成される。
【００７１】
さらに、水と混合されただけの掘削土砂は、一般残土として簡単に処分することができる。また、掘削土砂の砂分から水分を取り除けば、埋戻し土や骨材などとして利用することもできる。
【００７２】
このように構成された本実施の形態の掘削バケット１は、バケット本体２の下部の側面２１に周方向に間隔を置いて制御カッタ５，５が取り付けられるとともに、底蓋３の中央開口部３４の周縁からは複数の先導爪部４，・・・が下方に向けて突出されている。
【００７３】
そして、制御カッタ５，５は、バケット本体２を引き上げる際に掘削孔Ｇ１内に発生する流速を低減させることが可能となるように、バケット本体２の側面２１からの径方向の突出量ｄが調整されている。
【００７４】
このため、掘削孔Ｇ１の孔壁Ｇ５が水（又は掘削土砂のみが混入した泥水（添加剤なし））の静水圧によって保護がされている場合でも、掘削バケット１を引き上げる際の流速が大きくなり過ぎないため、孔壁Ｇ５の剥離や崩壊を防ぐことができる。
【００７５】
また、複数の先導爪部４，・・・を底蓋３の中央部に取り付けることによって、先導爪部４，・・・が先行して孔底Ｇ２に押し込まれることになって、掘削バケット１の傾きや揺れなどのぶれが抑えられる。
【００７６】
この結果、掘削バケット１を高い直進性能で押し下げていくことができる。すなわち、鉛直精度の高い杭を構築するための、鉛直掘削精度の高い削孔ができるようになる。
【００７７】
また、４本の先導爪部４，・・・が、底蓋３の周方向に等間隔に取り付けられることによって、対称性が確保されて直進性能をさらに向上させることができる。
【００７８】
さらに、先導爪部４が斜め下方に向けて突出されていれば、地盤Ｇに押し込まれる際の抵抗を低減させることができる。また、先導爪部４が平面視略円弧状に形成されていれば、掘削バケット１を回転させる際の抵抗も低減させることができる。
【００７９】
このため、硬い地盤であっても先導爪部４，・・・によって容易にほぐすことができる。すなわち、本実施の形態の掘削バケット１は、硬質地盤にも適用することができ、掘削性能にも優れている。
【００８０】
そして、このような掘削バケット１を使用した掘削方法であれば、掘削孔Ｇ１に水を注入することで、ベントナイト泥水などの安定液を注入する場合よりも孔内水位Ｇ３を高くして地盤Ｇの掘削を行う。
【００８１】
換言すると、孔内水位Ｇ３を高めに調整するだけで、安定液を使用せずに水（清水）だけで掘削することができるようになる。掘削孔Ｇ１に注入されるのが水であれば、掘削された土砂やスライムの沈降が早くなり、短期間で品質の高い場所打ちコンクリート杭を構築することができる。
【００８２】
さらに、水を掘削孔Ｇ１に注入しただけであれば、孔壁Ｇ５にマッドケーキが付着しないので、コンクリートと地盤Ｇとを付着させることができ、場所打ちコンクリート杭の周面摩擦抵抗を杭の支持力に加えることができる。
【００８３】
また、ベントナイト泥水などの安定液と混合された掘削土砂は産業廃棄物となってしまうが、水と混合されただけの掘削土砂は、一般残土で処分することが可能であるうえに、砂分などを再利用することもできる。
【００８４】
以上、図面を参照して、本発明の実施の形態を詳述してきたが、具体的な構成は、この実施の形態に限らず、本発明の要旨を逸脱しない程度の設計的変更は、本発明に含まれる。
【００８５】
例えば、前記実施の形態では、ケリーバ１１の下端に接続させる掘削バケット１について説明したが、これに限定されるものではない。例えば、回転圧入装置の駆動力によって地盤Ｇに回転圧入させる鋼管の下端に本発明の掘削バケット１を取り付け、鋼管から伝達された回転力によって掘削させる場合にも本発明を適用することができる。
【００８６】
また、前記実施の形態では、４本の先導爪部４，・・・を設ける場合について説明したが、これに限定されるものではなく、２本以上であれば先導爪部の数は任意に設定することができる。
【００８７】
さらに、前記実施の形態では、２本の制御カッタ５，５を設ける場合について説明したが、これに限定されるものではなく、周方向に等間隔に配置されるのであれば３本以上の制御カッタを設けることもできる。
【符号の説明】
【００８８】
１              掘削バケット
２              バケット本体
３              底蓋
３１            掘削ビット（掘削刃）
３２            土砂取込口
４              先導爪部
５              制御カッタ
ｄ              突出量
Ｇ              地盤
Ｇ１            掘削孔
Ｇ２            孔底
Ｇ３            孔内水位
Ｇ４            地下水位
【図１】
2017106203.tif 000005
【図２】
2017106203.tif 000006
【図３】
2017106203.tif 000007
【図４】
2017106203.tif 000008